(57)【要約】【課題】観察者が視認する虚像の輝度のばらつきを抑制することができる。【解決手段】表示システム１Ａは、光を投射して像を結像させる結像光学系の一例としての自由曲面ミラー３０と、自由曲面ミラー３０から投射される光を反射する反射部材の一例としてのフロントガラス５０を備え、フロントガラス５０により反射される反射光により、自由曲面ミラー３０により結像された虚像４５を観察者３に視認させる表示システムであって、フロントガラス５０に入射する光線は、第１の光線Ｌｐと、第１の光線Ｌｐよりもフロントガラス５０への入射角が小さい第２の光線Ｌｍを含み、フロントガラス５０より上流側の光路に、第１、第２の光線を透過させる透過部材１００を備え、透過部材１００は、第１の光線Ｌｐの透過率よりも、第２の光線Ｌｍの透過率が大きくなるよう形成される。【選択図】図１１
2020060619.tif 000002
【特許請求の範囲】
【請求項１】
光を投射して像を結像させる結像光学系と、前記結像光学系から投射される光を反射する反射部材を備え、前記反射部材により反射される反射光により、前記結像光学系により結像された虚像を観察者に視認させる表示システムであって、
前記反射部材に入射する光線は、第１の光線と、前記第１の光線よりも前記反射部材への入射角が小さい第２の光線を含み、
前記反射部材より上流側の光路に、前記第１、第２の光線を透過させる透過部材を備え、
前記透過部材は、前記第１の光線の透過率よりも、前記第２の光線の透過率が大きく
なるよう形成されることを特徴とする表示システム。
【請求項２】
前記透過部材は、前記透過部材へ入射する光線の入射角が大きいほど透過率が小さくなるよう形成されており、
前記透過部材は、前記第１の光線の入射角が前記第２の光線の入射角より大きくなるよう配置されていることを特徴とする請求項１記載の表示システム。
【請求項３】
下記（式１）の条件を満たすことを特徴とする請求項２記載の表示システム。
【数１】
2020060619.tif 000007
・・・（式１）
ただし、
θｗｐ１：アイボックス上端と虚像下端を通る光線と前記反射部材のなす角
θｗｍ１：アイボックス下端と虚像上端を通る光線と前記反射部材のなす角
θｄｐ１：アイボックス上端と虚像下端を通る光線と前記透過部材のなす角
θｄｍ１：アイボックス上端と虚像下端を通る光線と前記透過部材のなす角
θｗｍ２、θｗｐ２、θｄｐ２、θｄｍ２は、以下の（式２）にしたがい算出される値
【数２】
2020060619.tif 000008
・・・（式２）
【請求項４】
前記透過部材は曲率を有することを特徴とする請求項１〜３の何れか記載の表示システム。
【請求項５】
前記結像光学系を収納する収納部を備え、
前記透過部材は、前記収納部を密閉しつつ、前記結像光学系により投射される光を前記反射部材に向けて透過するように設けられている請求項１〜４の何れか記載の表示システム。
【請求項６】
光を発散させる光学素子を備え、
前記結像光学系は、前記光学素子から発散された発散光を投射して像を結像させることを特徴とする請求項１〜５の何れか記載の表示システム。
【請求項７】
前記光学素子は、マイクロレンズをアレイ状に配列させたマイクロレンズアレイである、請求項６記載の表示システム。
【請求項８】
光源から射出された光を主走査方向および前記主走査方向に直交する副走査方向に走査して前記光学素子上に中間像を形成する光偏向部と、を備えた請求項６または７記載の表示システム。
【請求項９】
請求項１〜８の何れか記載の表示システムを備えた移動体。
【請求項１０】
光を投射して像を結像させる結像光学系を備え、前記結像光学系から投射される光を反射する反射部材により反射される反射光により、前記結像光学系により結像された虚像を観察者に視認させる表示装置であって、
前記反射部材に入射する光線は、第１の光線と、前記第１の光線よりも前記反射部材への入射角が小さい第２の光線を含み、
前記反射部材より上流側の光路に備えられ、前記第１の光線の透過率よりも、前記第２の光線の透過率が大きくなるよう形成される透過部材を備えた表示装置。
【請求項１１】
光を投射して像を結像させる結像光学系と、前記結像光学系から投射される光を反射する反射部材を備え、前記反射部材により反射される反射光により、前記結像光学系により結像された虚像を観察者に視認させる表示システムに用いられる透過部材であって、
前記反射部材に入射する光線は、第１の光線と、前記第１の光線よりも前記反射部材への入射角が小さい第２の光線を含み、
前記反射部材より上流側の光路に備えられ、前記第１の光線の透過率よりも、前記第２の光線の透過率が大きくなるよう形成される透過部材。
【発明の詳細な説明】
【技術分野】
【０００１】
本発明は、表示システム、移動体および透過部材に関する。
【背景技術】
【０００２】
車両等の移動体において、少ない視線移動で運転者（観察者）に各種情報（車両情報、警告情報、ナビゲーション情報等）を視認させるアプリケーションとして、ＨＵＤ（ヘッドアップディスプレイ）等の表示装置が利用されている。
【０００３】
例えば、特許文献１は、主視認領域への光量を副視認領域への光量よりも多くすることにより、主視認領域での表示画像の虚像の輝度を確保する表示装置を開示している。
【発明の概要】
【発明が解決しようとする課題】
【０００４】
本発明は、観察者が視認する虚像の輝度のばらつきを抑制する表示システム、移動体および透過部材を提供することを目的とする。
【課題を解決するための手段】
【０００５】
本発明に係る表示システムは、光を投射して像を結像させる結像光学系と、前記結像光学系から投射される光を反射する反射部材を備え、前記反射部材により反射される反射光により、前記結像光学系により結像された虚像を観察者に視認させる表示システムであって、前記反射部材に入射する光線は、第１の光線と、前記第１の光線よりも前記反射部材への入射角が小さい第２の光線を含み、前記反射部材より上流側の光路に、前記第１、第２の光線を透過させる透過部材を備え、前記透過部材は、前記第１の光線の透過率よりも、前記第２の光線の透過率が大きくなるよう形成されることを特徴とする。
【発明の効果】
【０００６】
本発明によれば、観察者が視認する虚像の輝度のばらつきを抑制することができる。
【図面の簡単な説明】
【０００７】
【図１】本発明の実施形態に係る表示システムのシステム構成の一例を示す図である。
【図２】本発明の実施形態に係る表示装置のハードウエア構成の一例を示す図である。
【図３】本発明の実施形態に係る表示装置の機能構成の一例を示す図である。
【図４】本発明の実施形態に係る光源装置の具体的構成の一例を示す図である。
【図５】本発明の実施形態に係る光偏向装置の具体的構成の一例を示す図である。
【図６】本発明の実施形態に係るスクリーンの具体的構成の一例を示す図である。
【図７】マイクロレンズアレイにおいて、入射光束径とレンズ径の大小関係の違いによる作用の違いについて説明するための図である。
【図８】光偏向装置のミラーと走査範囲の対応関係について説明するための図である。
【図９】２次元走査時の走査線軌跡の一例を示す図である。
【図１０】本発明の実施形態に係る表示システムにおける光路長の概略を示した図である。
【図１１】本発明の実施形態に係る反射部材における入射角と反射率の関係を説明する図である。
【図１２】本発明の実施形態に係る表示システムにおける入射角を説明するための図である。
【図１３】本発明の実施形態に係る透過部材における入射角と透過率の関係を説明するための図である。
【図１４】本発明の実施形態に係る透過部材の配置を示す図である。
【発明を実施するための形態】
【０００８】
以下、図面を参照しながら、発明を実施するための形態を説明する。なお、図面の説明において同一要素には同一符号を付し、重複する説明は省略する。
【０００９】
●本発明の実施形態●
●システム構成
図１は、本発明の実施形態に係る表示システムのシステム構成の一例を示す図である。図１に示す表示システム１Ａは、観察者３が視認する画像（虚像４５）の端部における輝度の低下および観察者の視点移動時の輝度の低下を抑制しつつ、良好な輝度分布を有する画像を観察者３に視認させることができるシステムである。
【００１０】
表示システム１Ａは、表示装置１０から投射される投射光を、透過反射部材に投射させることによって観察者３に表示画像を視認させる。表示画像は、観察者３の視界に虚像４５として重畳して表示する画像である。表示システム１Ａは、例えば、車両、航空機もしくは船舶等の移動体、または操縦シミュレーションシステムもしくはホームシアターシステム等の非移動体に備えられる。本実施形態は、表示システム１Ａが、移動体の一例である自動車に備えられた場合について説明する。なお、表示システム１Ａの使用形態は、これに限られるものではない。
【００１１】
表示システム１Ａは、例えば、フロントガラス５０を介して車両の操縦に必要なナビゲーション情報（例えば車両の速度、進路情報、目的地までの距離、現在地名称、車両前方における物体（対象物）の有無や位置、制限速度等の標識、渋滞情報等の情報等）を、観察者３（操縦者）に視認させる。この場合、フロントガラス５０は、入射された光の一部を透過させ、残部の少なくとも一部を反射させる透過反射部材として機能する。観察者３の視点位置からフロントガラス５０までの距離は、数十ｃｍ〜１ｍ程度である。
【００１２】
表示システム１Ａは、表示装置１０、自由曲面ミラー３０およびフロントガラス５０を備える。表示装置１０は、例えば、移動体の一例である自動車に搭載されたヘッドアップディスプレイ装置（ＨＵＤ装置）である。表示装置１０は、自動車のインテリアデザインに準拠して任意の位置に配置される。表示装置１０は、例えば、自動車のダッシュボードの下方に配置されてもよく、ダッシュボード内に埋め込まれていてもよい。
【００１３】
表示装置１０は、光源装置１１、光偏向装置１３、スクリーン１５を備える。光源装置１１は、光源から出射されたレーザ光を、装置外部へ照射するデバイスである。光源装置１１は、例えば、Ｒ、Ｇ、Ｂの３色のレーザ光を合成したレーザ光を照射してもよい。光源装置１１から射出されたレーザ光は、光偏向装置１３の反射面に導かれる。光源装置１１は、光源として、ＬＤ（Ｌａｓｅｒ  Ｄｉｏｄｅ）等の半導体発光素子を有する。なお、光源は、これに限られず、ＬＥＤ（ｌｉｇｈｔ  ｅｍｉｔｔｉｎｇ  ｄｉｏｄｅ）等の半導体発光素子を有してもよい。
【００１４】
光偏向部としての光偏向装置１３は、光源装置１１から射出された光を主走査方向および主走査方向に直交する副走査方向に走査して、光学素子としてのスクリーン１５上に中間像を形成するものであり、ＭＥＭＳ（Ｍｉｃｒｏ  Ｅｌｅｃｔｒｏ  Ｍｅｃｈａｎｉｃａｌ  Ｓｙｓｔｅｍｓ）等を利用してレーザ光の進行方向を変化させるデバイスである。光偏向装置１３は、例えば、直交する２軸に対して揺動する単一の微小なＭＥＭＳミラー、または１軸に対して揺動もしくは回転する２つのＭＥＭＳミラーからなるミラー系等の走査手段を利用して構成される。光偏向装置１３から射出したレーザ光は、スクリーン１５に走査される。なお、光偏向装置１３は、ＭＥＭＳミラーに限られず、ポリゴンミラー等を用いて構成されてもよい。
【００１５】
スクリーン１５は、光を発散させる光学素子としてのレーザ光を所定の発散角で発散させる機能を有する発散部材である。スクリーン１５は、例えば、ＥＰＥ（Ｅｘｉｔ  Ｐｕｐｉｌ  Ｅｘｐａｎｄｅｒ）の形態として、マイクロレンズアレイ（ＭＬＡ）または拡散板等の光拡散効果を持つ透過型の光学素子によって構成される。なお、スクリーン１５は、マイクロミラーアレイ等の光拡散効果を持つ反射型の光学素子によって構成されてもよい。スクリーン１５は、光偏向装置１３から射出されたレーザ光がスクリーン１５上に走査されることによって、スクリーン１５上に二次元像である中間像４０を形成する。
【００１６】
ここで、表示装置１０の投射方式は、液晶パネル、ＤＭＤパネル（デジタルミラーデバイスパネル）または蛍光表示管（ＶＦＤ）等イメージングデバイスで中間像４０を形成する「パネル方式」と、光源装置１１から射出されたレーザ光を走査手段で走査して中間像４０を形成する「レーザ走査方式」がある。
【００１７】
本発明の実施形態に係る表示装置１０は、後者の「レーザ走査方式」を採用する。「レーザ走査方式」は、各画素に対して発光または非発光を割り当てることができるため、一般に高コントラストの画像を形成することができる。なお、表示装置１０は、投射方式として「パネル方式」を用いてもよい。
【００１８】
スクリーン１５から射出されたレーザ光（光束）によって、自由曲面ミラー３０およびフロントガラス５０に投射された虚像４５は、中間像４０から拡大されて表示される。自由曲面ミラー３０は、フロントガラス５０の湾曲形状による画像の傾き、歪、位置ずれ等を相殺するように設計および配置されている。自由曲面ミラー３０は、所定の回転軸を中心として回転可能に設置されてもよい。これにより、自由曲面ミラー３０は、スクリーン１５から射出したレーザ光（光束）の反射方向を調整し、虚像４５の表示位置を変化させることができる。
【００１９】
ここでは、自由曲面ミラー３０は、虚像４５の結像位置が所望の位置になるように、一定の集光パワーを有するように既存の光学設計シミュレーションソフトを用いて設計されている。表示装置１０は、虚像４５が観察者３の視点位置から例えば１ｍ以上かつ３０ｍ以下（好ましくは１０ｍ以下）の位置（奥行位置）に表示されるように、自由曲面ミラー３０の集光パワーが設定される。なお、自由曲面ミラー３０は、凹面ミラーや曲面ミラーであってもよい。自由曲面ミラー３０は、光学素子から発散された発散光を投射して像を結像させる結像光学系の一例である。
【００２０】
フロントガラス５０は、レーザ光（光束）の一部を透過させ、残部の少なくとも一部を反射させる機能（部分反射機能）を有する透過反射部材である。フロントガラス５０は、観察者３に前方の景色および虚像４５を視認させる半透過鏡として機能する。虚像４５は、例えば、車両情報（速度、走行距離等）、ナビゲーション情報（経路案内、交通情報等）、警告情報（衝突警報等）等を観察者３に視認させるための画像情報である。なお、透過反射部材は、フロントガラス５０とは別途設けられたフロントウインドシールド等であってもよい。フロントガラス５０は、反射部材の一例である。
【００２１】
虚像４５は、フロントガラス５０の前方の景色と重畳するように表示されてもよい。また、フロントガラス５０は、平面でなく、湾曲している。そのため、虚像４５の結像位置は、自由曲面ミラー３０とフロントガラス５０の曲面によって決定される。なお、フロントガラス５０は、部分反射機能を有する個別の透過反射部材としての半透過鏡（コンバイナ）を利用してもよい。
【００２２】
このような構成により、スクリーン１５から射出されたレーザ光（光束）は、自由曲面ミラー３０に向けて投射され、フロントガラス５０によって反射される。観察者３は、フロントガラス５０で反射された光によって、スクリーン１５に形成された中間像４０が拡大された虚像４５を視認することができるようになる。
【００２３】
●ハードウエア構成
図２は、本発明の実施形態に係る表示装置のハードウエア構成の一例を示す図である。なお、図２に示すハードウエア構成は、各実施形態において同様の構成を備えていてもよく、必要に応じて構成要素が追加または削除されてもよい。
【００２４】
表示装置１０は、表示装置１０の動作を制御するための制御装置１７を有する。制御装置１７は、表示装置１０の内部に実装された基板またＩＣチップ等のコントローラである。制御装置１７は、ＦＰＧＡ（Ｆｉｅｌｄ−Ｐｒｏｇｒａｍｍａｂｌｅ  Ｇａｔｅ  Ａｒｒａｙ）１００１、ＣＰＵ（Ｃｅｎｔｒａｌ  Ｐｒｏｃｅｓｓｉｎｇ  Ｕｎｉｔ）１００２、ＲＯＭ（Ｒｅａｄ  Ｏｎｌｙ  Ｍｅｍｏｒｙ）１００３、ＲＡＭ（Ｒａｎｄｏｍ  Ａｃｃｅｓｓ  Ｍｅｍｏｒｙ）１００４、Ｉ／Ｆ（Ｉｎｔｅｒｆａｃｅ）１００５、バスライン１００６、ＬＤドライバ１００８、ＭＥＭＳコントローラ１０１０およびモータドライバ１０１２を含む。
【００２５】
ＦＰＧＡ１００１は、表示装置１０の設計者による設定変更が可能な集積回路である。ＬＤドライバ１００８、ＭＥＭＳコントローラ１０１０、およびモータドライバ１０１２は、ＦＰＧＡ１００１からの制御信号に応じて駆動信号を生成する。ＣＰＵ１００２は、表示装置１０全体を制御するための処理を行う集積回路である。ＲＯＭ１００３は、ＣＰＵ１００２を制御するプログラムを記憶する記憶装置である。ＲＡＭ１００４は、ＣＰＵ１００２のワークエリアとして機能する記憶装置である。Ｉ／Ｆ１００５は、外部装置と通信するためのインターフェースである。Ｉ／Ｆ１００５は、例えば自動車のＣＡＮ（Ｃｏｎｔｒｏｌｌｅｒ  Ａｒｅａ  Ｎｅｔｗｏｒｋ）等に接続される。
【００２６】
ＬＤ１００７は、例えば、光源装置１１の一部を構成する半導体発光素子である。ＬＤドライバ１００８は、ＬＤ１００７を駆動する駆動信号を生成する回路である。ＭＥＭＳ１００９は、光偏向装置１３の一部を構成し、走査ミラーを変位させるデバイスである。ＭＥＭＳコントローラ１０１０は、ＭＥＭＳ１００９を駆動する駆動信号を生成する回路である。モータ１０１１は、自由曲面ミラー３０の回転軸を回転させる電動機である。モータドライバ１０１２は、モータ１０１１を駆動する駆動信号を生成する回路である。
【００２７】
●機能構成
図３は、本発明の実施形態に係る表示装置の機能構成の一例を示す図である。表示装置１０により実現される機能は、車両情報受信部１７１、外部情報受信部１７２、画像生成部１７３および画像表示部１７４を含む。
【００２８】
車両情報受信部１７１は、ＣＡＮ等から自動車の情報（速度、走行距離等の情報）を受信する機能である。車両情報受信部１７１は、図２に示したＩ／Ｆ１００５およびＣＰＵ１００２の処理、並びにＲＯＭ１００３に記憶されたプログラム等により実現される。
【００２９】
外部情報受信部１７２は、外部ネットワークから自動車外部の情報（ＧＰＳからの位置情報、ナビゲーションシステムからの経路情報または交通情報等）を受信する機能である。外部情報受信部１７２は、図２に示したＩ／Ｆ１００５およびＣＰＵ１００２の処理、並びにＲＯＭ１００３に記憶されたプログラム等により実現される。
【００３０】
画像生成部１７３は、車両情報受信部１７１および外部情報受信部１７２により入力された情報に基づいて、中間像４０および虚像４５を表示させるための画像情報を生成する機能である。画像生成部１７３は、図２に示したＣＰＵ１００２の処理、およびＲＯＭ１００３に記憶されたプログラム等により実現される。
【００３１】
画像表示部１７４は、画像生成部１７３により生成された表示情報に基づいて、スクリーン１５に中間像４０を形成し、中間像４０を構成したレーザ光（光束）をフロントガラス５０に向けて投射して虚像４５を表示させる機能である。画像表示部１７４は、図２に示したＣＰＵ１００２、ＦＰＧＡ１００１、ＬＤドライバ１００８、ＭＥＭＳコントローラ１０１０およびモータドライバ１０１２の処理、並びにＲＯＭ１００３に記憶されたプログラム等により実現される。
【００３２】
画像表示部１７４は、制御部１７５、中間像形成部１７６および投影部１７７を含む。制御部１７５は、中間像４０を形成するために、光源装置１１および光偏向装置１３の動作を制御する制御信号を生成する。また、制御部１７５は、虚像４５を所定の位置に表示させるために、自由曲面ミラー３０の動作を制御する制御信号を生成する。
【００３３】
中間像形成部１７６は、制御部１７５によって生成された制御信号に基づいて、スクリーン１５に中間像４０を形成する。投影部１７７は、観察者３に視認させる虚像４５を形成するために、中間像４０を構成したレーザ光を、透過反射部材（フロントガラス５０等）に投射させる。
【００３４】
●光源装置
図４は、本発明の実施形態に係る光源装置の具体的構成に一例を示す図である。光源装置１１は、光源素子１１１Ｒ，１１１Ｇ，１１１Ｂ（以下、区別する必要のないときは、光源素子１１１とする。）、カップリングレンズ１１２Ｒ，１１２Ｇ，１１２Ｂ、アパーチャ１１３Ｒ，１１３Ｇ，１１３Ｂ、合成素子１１４，１１５，１１６、およびレンズ１１７を含む。
【００３５】
３色（Ｒ，Ｇ，Ｂ）の光源素子１１１Ｒ，１１１Ｇ，１１１Ｂは、例えば、それぞれ単数または複数の発光点を有するＬＤ（Ｌａｓｅｒ  Ｄｉｏｄｅ）である。光源素子１１１Ｒ，１１１Ｇ，１１１Ｂは、互いに異なる波長λＲ，λＧ，λＢ（例えばλＲ＝６４０ｎｍ，λＧ＝５３０ｎｍ，λＢ＝４４５ｎｍ）のレーザ光（光束）を放射する。
【００３６】
放射された各レーザ光（光束）は、それぞれカップリングレンズ１１２Ｒ，１１２Ｇ，１１２Ｂによりカップリングされる。カップリングされた各レーザ（光束）は、それぞれアパーチャ１１３Ｒ，１１３Ｇ，１１３Ｂにより整形される。アパーチャ１１３Ｒ，１１３Ｇ，１１３Ｂは、レーザ光（光束）の発散角等の所定の条件に応じた形状（例えば円形、楕円形、長方形、正方形等）を有する。
【００３７】
アパーチャ１１３Ｒ，１１３Ｇ，１１３Ｂにより整形された各レーザ光（光束）は、３つの合成素子１１４，１１５，１１６により合成される。合成素子１１４，１１５，１１６は、プレート状またはプリズム状のダイクロイックミラーであり、波長に応じてレーザ光（光束）を反射または透過し、１つの光束に合成する。合成された光束は、レンズ１１７を通り、光偏向装置１３に導かれる。
【００３８】
●光偏向装置
図５は、本発明の実施形態に係る光偏向装置の具体的構成の一例を示す図である。光偏向装置１３は、半導体プロセスにより製造されるＭＥＭＳミラーであり、ミラー１３０、蛇行状梁部１３２、枠部材１３４、および圧電部材１３６を含む。光偏向装置１３は、走査部の一例である。
【００３９】
ミラー１３０は、光源装置１１から射出されたレーザ光をスクリーン１５側に反射する反射面を有する。光偏向装置１３は、ミラー１３０を挟んで一対の蛇行状梁部１３２を形成する。蛇行状梁部１３２は、複数の折り返し部を有する。折り返し部は、交互に配置される第１の梁部１３２ａと第２の梁部１３２ｂとから構成されている。蛇行状梁部１３２は、枠部材１３４に支持されている。圧電部材１３６は、隣接する第１の梁部１３２ａと第２の梁部１３２ｂとを接続するように配置されている。圧電部材１３６は、第１の梁部１３２ａと第２の梁部１３２ｂとに異なる電圧を印加し、梁部１３２ａ，１３２ｂのそれぞれに反りを発生させる。
【００４０】
これにより、隣接する梁部１３２ａ，１３２ｂは、異なる方向に撓む。ミラー１３０は、撓みが累積されることによって、左右方向の軸を中心として垂直方向に回転する。このような構成により、光偏向装置１３は、垂直方向への光走査が低電圧で可能となる。上下方向の軸を中心とした水平方向の光走査は、ミラー１３０に接続されたトーションバー等を利用した共振により行われる。
【００４１】
●スクリーン
図６は、本発明の実施形態に係るスクリーンの具体的構成の一例を示す図である。スクリーン１５は、光源装置１１の一部を構成するＬＤ１００７から射出されたレーザ光を結像させる。また、スクリーン１５は、所定の発散角で発散させる発散部材である。図６に示すスクリーン１５は、六角形形状を有する複数のマイクロレンズ１５０が隙間なく配列されたマイクロレンズアレイ構造を有している。マイクロレンズ１５０の幅（対向する２辺間の距離）は、２００μｍ程度である。スクリーン１５は、マイクロレンズ１５０の形状を六角形とすることにより、複数のマイクロレンズ１５０を高密度で配列することができる。
【００４２】
なお、マイクロレンズ１５０の形状は、六角形に限られるものではなく、例えば四角形、三角形等であってもよい。また、複数のマイクロレンズ１５０が規則正しく配列された構造を例示しているが、マイクロレンズ１５０の配列は、これに限られるものではなく、例えば、各マイクロレンズ１５０の中心を互いに偏心させ、不規則な配列としてもよい。このように偏心させた配列を採用する場合、各マイクロレンズ１５０は、互いに異なる形状となる。
【００４３】
図７は、マイクロレンズアレイにおいて、入射光束径とレンズ径の大小関係の違いによる作用の違いについて説明するための図である。図７（ａ）において、スクリーン１５は、マイクロレンズ１５０が整列して配置された光学板１５１によって構成される。光学板１５１上に入射光１５２を走査される場合、入射光１５２は、マイクロレンズ１５０により発散され、発散光１５３となる。スクリーン１５は、マイクロレンズ１５０の構造により、入射光１５２を所望の発散角１５４で発散させることができる。この発散角１５４は、マイクロレンズ１５０の曲率と対応関係がある。マイクロレンズ１５０の周期１５５は、入射光１５２の径１５６ａよりも大きくなるように設計される。これにより、スクリーン１５は、レンズ間での干渉が起こさずに、スペックル（スペックルノイズ）を生じさせない。
【００４４】
図７（ｂ）は、入射光１５２の径１５６ｂが、マイクロレンズ１５０の周期１５５の２倍大きい場合の発散光の光路を示す。入射光１５２は、二つのマイクロレンズ１５０ａ、１５０ｂに入射し、それぞれ発散光１５７、１５８を生じさせる。このとき、領域１５９において、二つの発散光が存在するため、光の干渉を生じうる。この干渉光が観察者の目に入った場合、スペックルとして視認される。
【００４５】
以上を考慮して、スペックルを低減するため、マイクロレンズ１５０の周期１５５は、入射光の径１５６よりも大きく設計される。なお、図７は、凸面レンズの形態で説明したが、凹面レンズの形態においても同様の効果があるものとする。
【００４６】
図８は、光偏向装置のミラーと走査範囲の対応関係について説明するための図である。光源装置１１の各光源素子は、ＦＰＧＡ１００１によって発光強度や点灯タイミング、光波形が制御される。光源装置１１の各光源素子は、ＬＤドライバ１００８によって駆動され、レーザ光を射出する。各光源素子から射出され光路合成されたレーザ光は、図８に示すように、光偏向装置１３のミラー１３０によってα軸周り、β軸周りに二次元的に偏向され、ミラー１３０を介して走査光としてスクリーン１５に照射される。すなわち、スクリーン１５は、光偏向装置１３による主走査および副走査によって二次元走査される。
【００４７】
走査範囲は、光偏向装置１３によって走査しうる全範囲である。走査光は、スクリーン１５の走査範囲を、２〜４万Ｈｚ程度の速い周波数で主走査方向（Ｘ軸方向）に振動走査（往復走査）しつつ、数十Ｈｚ程度の遅い周波数で副走査方向（Ｙ軸方向）に片道走査する。すなわち、光偏向装置１３は、スクリーン１５に対してラスタースキャンを行う。この場合、表示装置１０は、走査位置（走査光の位置）に応じて各光源素子の発光制御を行うことで、画素ごとの描画または虚像の表示を行うことができる。
【００４８】
一画面を描画する時間、すなわち１フレーム分の走査時間（二次元走査の１周期）は、
上記のように副走査周期が数十Ｈｚであることから、数十ｍｓｅｃとなる。例えば、主走査周期を２００００Ｈｚ、副走査周期を５０Ｈｚとした場合、１フレーム分の走査時間は、２０ｍｓｅｃとなる。
【００４９】
図９は、二次元走査時の走査線軌跡の一例を示す図である。スクリーン１５は、図９に示すように、中間像４０が描画される（画像データに応じて変調された光が照射される）画像領域６１（有効走査領域）と、画像領域６１を取り囲むフレーム領域６２を含む。
【００５０】
走査範囲は、スクリーン１５における画像領域６１とフレーム領域６２の一部（画像領域６１の外縁近傍の部分）を併せた範囲とする。図９において、走査範囲における走査線の軌跡は、ジグザグ線によって示される。図９において、走査線の本数は、便宜上、実際よりも少なくしている。
【００５１】
スクリーン１５は、上述のように、マイクロレンズアレイ等の光拡散効果を持つ透過型の光学素子で構成されている。画像領域６１は、矩形または平面である必要はなく、多角形または曲面であってもよい。また、スクリーン１５は、光拡散効果を持たない平板または曲板であってもよい。さらに、画像領域６１は、装置レイアウトに応じて、例えば、マイクロミラーアレイ等の光拡散効果を持つ反射型の素子とすることもできる。
【００５２】
スクリーン１５は、走査範囲における画像領域６１の周辺領域（フレーム領域６２の一部）に、受光素子を含む同期検知系６０が備える。図９において、同期検知系６０は、画像領域６１の−Ｘ側かつ＋Ｙ側の隅部に配置される。同期検知系６０は、光偏向装置１３の動作を検出して、走査開始タイミングや走査終了タイミングを決定するための同期信号をＦＰＧＡ１００１に出力する。
【００５３】
●詳細
続いて、図１０乃至図１４を用いて、本発明の実施形態に係る表示システム１Ａの光学設計について説明する。
【００５４】
図１０は、本発明の実施形態に係る表示システムにおける光路長の概略を示した図である。ここで、各光路長は、表示システム１Ａの各構成要素におけるアイリプス中心（基準アイポイント）から観察した際の画像中心が通過する光路を用いて測定される。画像中心は、それぞれの構成要素における幾何学中心に一致しているものとする。なお、アイリプス中心（基準アイポイント）は、観察者３の基準となる視点位置であり、結像された像を視認可能な領域となるアイボックスの中心である。
【００５５】
なお、観察者３（例えば自動車を運転する運転者）は、フロントガラス５０によって反射された光の光路上のアイボックス（観察者３の目の近傍の領域）から虚像４５を視認する。ここで、アイボックスは、観察者３が視点の位置を調整して虚像４５を視認可能な範囲を意味する。具体的には、アイボックスは、自動車の運転者アイレンジ（ＪＩＳ  Ｄ００２１）と同等かそれ以下である。アイボックスは、運転者が虚像４５を視認可能な領域として、座席に着座した運転者のアイポイントが存在可能な空間領域であるアイリプスに基づいて設定される。
【００５６】
表示システム１Ａにおいて、観察者３の基準アイポイントから虚像４５の画像中心までの光路長は、光路長Ｓとして定義される。
【００５７】
光偏向装置１３からスクリーン１５に形成される中間像４０の画像中心までの光路長は、光路長Ｍとして定義される。また、スクリーン１５に形成される中間像４０の画像中心から、中間像４０から発散された光束が自由曲面ミラー３０を通過する領域の中心位置までの光路長は、光路長Ｏとして定義される。
【００５８】
図１１は、本発明の実施形態に係る反射部材における入射角と反射率の関係を説明する図である。
【００５９】
本実施形態では、自由曲面ミラー３０からフロントガラス５０へ向けて投射されるレーザ光（光束）は、主にＳ偏光としており、これにより、フロントガラス５０による反射効率が向上している。
【００６０】
フロントガラス５０における反射率の入射角依存性は、フレネルの反射式から図１１のようになっており、入射角が０度に近いほど反射率は小さく、９０度に近づくほど反射率は大きい。
【００６１】
従って、フロントガラス５０への入射角が小さい入射光は反射率が低く、反対にフロントガラス５０への入射角の大きい入射光は反射率が高い。入射光にフロントガラス５０における反射率を乗算したものが虚像の光量、輝度であることから、アイボックスにおける虚像輝度は、反射率の差に起因して面内偏差が生じてしまう。例として、入射角範囲が６０〜７０°の場合は面内輝度均一度が３９．４％となってしまうことが、図１１の反射率計算からわかる。
【００６２】
図１２は、本発明の実施形態に係る表示システムにおける入射角を説明するための図である。
【００６３】
スクリーン１５から射出されたレーザ光（光束）は、自由曲面ミラー３０に向けて投射され、フロントガラス５０によって反射される。
【００６４】
図１２に示すように、レーザ光（光束）は、アイボックス上端に到達する第１の光線Ｌｐと、アイボックス下端に到達する第２の光線Ｌｍを含む。
【００６５】
第１の光線Ｌｐは、アイボックス上端と虚像下端を通る光線であり、第１の光線Ｌｐのフロントガラス５０への入射角はθｗｐ１で示される。
【００６６】
第２の光線Ｌｍは、アイボックス下端と虚像上端を通る光線であり、第２の光線Ｌｍのフロントガラス５０への入射角はθｗｍ１で示される。
【００６７】
自由曲面ミラー３０から投射されるレーザ光（光束）は集束光であり、第１の光線Ｌｐと第２の光線Ｌｍは非平行である。また、フロントガラス５０は、一般的に図１１に示すように観察者３に近づくに従って上方に伸びるように配置されているため、第２の光線Ｌｍのフロントガラス５０への入射角θｗｍ１は、第１の光線Ｌｐのフロントガラス５０への入射角θｗｐ１よりも小さくなる。
【００６８】
ここで、フロントガラス５０は、フロントガラス５０へ入射する光線の入射角が大きいほど反射率が大きくなるよう形成されており、これにより、第２の光線Ｌｍを観察者３が視認する輝度は、第１の光線Ｌｐを観察者３が視認する輝度よりも小さくなってしまう。
【００６９】
そこで、本実施形態では、フロントガラス５０より上流側の光路に、第１、第２の光線を透過させる透過部材１００を備え、透過部材１００は、第１の光線Ｌｐの透過率よりも、第２の光線Ｌｍの透過率が大きくなるよう形成されている。これにより、第１の光線Ｌｐを観察者３が視認する輝度と、第２の光線Ｌｍを観察者３が視認する輝度の輝度差を低減し、観察者が視認する虚像の輝度のばらつきを抑制することができる。
【００７０】
なお、図１２では、透過部材１００は、光路上で、自由曲面ミラー３０とフロントガラス５０の間に配置されているが、他の形態として、透過部材１００は、スクリーン１５と自由曲面ミラー３０の間に配置されてもよい。
【００７１】
透過部材１００は、透過部材１００へ入射する光線の入射角が大きいほど透過率が小さくなるよう形成されており、透過部材１００は、第１の光線Ｌｐの入射角が第２の光線Ｌｍの入射角より大きくなるよう配置されている。
【００７２】
図１２では、第１の光線Ｌｐの透過部材１００への入射角はθｄｐ１で示され、第２の光線Ｌｍの透過部材１００への入射角はθｄｍ１で示されており、θｄｐ１＞θｄｍ１となっている。
【００７３】
これにより、第１の光線Ｌｐの透過率よりも第２の光線Ｌｍの透過率を大きくすることができ、第１の光線Ｌｐを観察者が視認する輝度と第２の光線Ｌｍを観察者が視認する輝度の輝度差を低減することができる。
【００７４】
一般的に虚像の面内輝度偏差は４０％以下であれば観察者３にとって不快と感じないことがわかっており、このことからフロントガラス５０への入射角と、透過部材１００への入射角には、次の（式１）の条件を満たすのが好ましい。
【００７５】
【数１】
2020060619.tif 000003
・・・（式１）
ただし、
θｗｐ１・・・アイボックス上端と虚像下端を通る光線とフロントガラス５０のなす角
θｗｍ１・・・アイボックス下端と虚像上端を通る光線とフロントガラス５０のなす角
θｄｐ１・・・アイボックス上端と虚像下端を通る光線と透過部材１００のなす角
θｄｍ１・・・アイボックス上端と虚像下端を通る光線と透過部材１００のなす角
θｗｍ２、θｗｐ２、θｄｐ２、θｄｍ２は、以下の（式２）にしたがい算出される値
【００７６】
【数２】
2020060619.tif 000004
・・・（式２）
なお、簡単のため、ＷＳ・透過部材の屈折率を１．５として計算している。
【００７７】
例えば、θｗｐ１＝７２°、θｗｍ１＝５８°、θｄｐ１＝７１°  、θｄｍ１＝５７°のとき、上記の（式１）を求めると０．６０４となり、透明部材１００の配置により適切に虚像輝度の面内偏差を抑えることができていることがわかる。
【００７８】
一方で、θｗｐ１＝７２°、θｗｍ１＝５８°、θｄｐ１＝２７°  、θｄｍ１＝１３°のとき、上記の（式１）を求めると０．４９１となり、アイボックス内で虚像輝度の偏差が４０％以上になっており、観察者３に輝度変化が知覚されてしまう可能性がある。
【００７９】
なお、他の形態として、透過部材１００が、透過部材１００へ入射する光線の入射角が大きいほど透過率が大きくなるよう形成されており、透過部材１００は、第１の光線Ｌｐの入射角が第２の光線Ｌｍの入射角より小さくなるよう配置されていてもよい。
【００８０】
図１３は、本発明の実施形態に係る透過部材における入射角と透過率の関係を説明する図である。透過率は入射角が０度に近いほど大きく、９０度に近づくほど小さいとわかる。
【００８１】
図１３のように、透過部材１００が、透過部材１００へ入射する光線の入射角が大きいほど透過率が小さくなるよう形成されている場合、図１２に示したように、透過部材１００は、第１の光線Ｌｐの入射角が第２の光線Ｌｍの入射角より大きくなるよう配置される。
【００８２】
一方、透過部材１００が、図１３とは逆の特性、すなわち、透過部材１００へ入射する光線の入射角が大きいほど透過率が大きくなるよう形成されている場合は、透過部材１００は、第１の光線Ｌｐの入射角が第２の光線Ｌｍの入射角より小さくなるよう配置される。
【００８３】
図１２に示すレイアウトの場合、第１の光線Ｌｐの入射角が第２の光線Ｌｍの入射角より小さくなるように透過部材１００を配置しようとすると、観察者３から遠ざかるに従って急傾斜で上に伸びる形状になってしまい、配置が困難である。
【００８４】
この場合、透過部材１００をスクリーン１５と自由曲面ミラー３０の間に配置することにより、レイアウトの自由度が向上する。
【００８５】
図１４は、本発明の実施形態に係る透過部材の配置を示す図である。
【００８６】
本発明の実施形態に係る表示システムは、光源１１、光偏向部１３、光偏向部１３により偏向されたレーザ光を光学素子１５に向けて反射する平面ミラー１４、光学素子１５および自由曲面ミラー３０を収納する収納部２００を備え、透過部材１００は、収納部を密閉しつつ、自由曲面ミラー３０により投射される光をフロントガラス５０に向けて透過するように設けられている。透過部材１００は、また、凹面状に形成されて曲率を有している。
【００８７】
これにより、透過部材１００が収納部２００における防塵、防水カバーを兼ねることができるとともに、透過部材１００により、外光（例えば、太陽光や街路灯）を観察者が視認されない位置へ反射することが可能になる。
【００８８】
以上説明した本発明の実施形態に係る表示システム１Ａは、光を発散させる光学素子としてスクリーン１５を備えた「レーザ走査方式」の表示システムであったが、光を発散させる光学素子として液晶パネルを備えた「パネル方式」の表示システムに本発明を適用しても良い。
【００８９】
また、各光学系のレイアウトの関係におけるΔθと他のパラメータの値の許容範囲を考慮した場合、光偏向装置１３と中間像４０までの光路長Ｍは、８０ｍｍ〜１２０ｍｍの付近であることが好ましい。表示装置１０は、このＭの値を用いて、他のパラメータを算出することによって、最適な光学設計を行うことが可能になる。
【００９０】
さらに、表示システム１Ａは、投射光学系が自由曲面ミラー３０のみで構成されているが、これには限定されない。光学素子を複数用いた場合、表示システム１Ａは、一素子に合成した場合の系を換算すればよい。
【００９１】
以上説明したように、本発明の一実施形態に係る表示システム１Ａは、光を投射して像を結像させる結像光学系の一例としての自由曲面ミラー３０と、自由曲面ミラー３０から投射される光を反射する反射部材の一例としてのフロントガラス５０を備え、フロントガラス５０により反射される反射光により、自由曲面ミラー３０により結像された虚像４５を観察者３に視認させる表示システムであって、フロントガラス５０に入射する光線は、第１の光線Ｌｐと、第１の光線Ｌｐよりもフロントガラス５０への入射角が小さい第２の光線Ｌｍを含み、フロントガラス５０より上流側の光路に、第１、第２の光線を透過させる透過部材１００を備え、透過部材１００は、第１の光線Ｌｐの透過率よりも、第２の光線Ｌｍの透過率が大きくなるよう形成される。
【００９２】
本実施形態では、フロントガラス５０は、フロントガラス５０へ入射する光線の入射角が大きいほど反射率が大きくなるよう形成されており、これにより、第２の光線Ｌｍを観察者が視認する輝度は、第１の光線Ｌｐを観察者が視認する輝度よりも小さい。
【００９３】
そこで、第１の光線Ｌｐの透過率よりも第２の光線Ｌｍの透過率が大きくなるよう形成される透過部材１００をフロントガラス５０より上流側の光路に備えることにより、第１の光線Ｌｐを観察者が視認する輝度と第２の光線Ｌｍを観察者が視認する輝度の輝度差を低減し、観察者が視認する虚像の輝度のばらつきを抑制することができる。
【００９４】
透過部材１００は、透過部材１００へ入射する光線の入射角が大きいほど透過率が小さくなるよう形成されており、透過部材１００は、第１の光線Ｌｐの入射角Ｌｍが第２の光線Ｌｍの入射角より大きくなるよう配置されている。
【００９５】
これにより、第１の光線Ｌｐの透過率よりも第２の光線Ｌｍの透過率を大きくすることができ、第１の光線Ｌｐを観察者が視認する輝度と第２の光線Ｌｍを観察者が視認する輝度の輝度差を低減することができる。
また、表示システム１Ａは、下記（式１）の条件を満たす。
【００９６】
【数３】
2020060619.tif 000005
・・・（式１）
ただし、
θｗｐ１：アイボックス上端と虚像下端を通る光線とフロントガラス５０のなす角
θｗｍ１：アイボックス下端と虚像上端を通る光線とフロントガラス５０のなす角
θｄｐ１：アイボックス上端と虚像下端を通る光線と透過部材１００のなす角
θｄｍ１：アイボックス上端と虚像下端を通る光線と透過部材１００のなす角
θｗｍ２、θｗｐ２、θｄｐ２、θｄｍ２は、以下の（式２）にしたがい算出される値
【００９７】
【数４】
2020060619.tif 000006
・・・（式２）
上記（式１）の条件を満たすことにより、虚像の面内輝度偏差を観察者３にとって不快と感じさせないことができる。
【００９８】
透過部材１００は曲率を有しており、これにより、外光（例えば、太陽光や街路灯）を観察者が視認されない位置へ反射することが可能になる。
【００９９】
表示システム１Ａは、光を発散させる光学素子１５を備え、自由曲面ミラー３０は、光学素子から発散された発散光を投射して像を結像させる。光学素子は、マイクロレンズをアレイ状に配列させたマイクロレンズアレイである。
【０１００】
表示システム１Ａは、光源から射出された光を主走査方向および主走査方向に直交する副走査方向に走査して光学素子上に中間像を形成する光偏向部１３と、を備える。
【０１０１】
表示システム１Ａは、光源１１、光偏向部１３、光学素子１５および自由曲面ミラー３０を収納する収納部２００を備え、透過部材１００は、収納部を密閉しつつ、自由曲面ミラー３０により投射される光をフロントガラス５０に向けて透過するように設けられている。これにより、透過部材１００が収納部２００における防塵、防水カバーを兼ねることができる。
【０１０２】
本発明の一実施形態に係る移動体は、上記表示システムを備えた移動体である。
【０１０３】
本発明の一実施形態に係る表示装置は、光を投射して像を結像させる結像光学系の一例としての自由曲面ミラー３０を備え、フロントガラス５０により反射される反射光により、自由曲面ミラー３０により結像された虚像４５を観察者３に視認させる表示装置１０であって、フロントガラス５０に入射する光線は、第１の光線Ｌｐと、第１の光線Ｌｐよりもフロントガラス５０への入射角が小さい第２の光線Ｌｍを含み、フロントガラス５０より上流側の光路に備えられ、第１の光線Ｌｐの透過率よりも、第２の光線Ｌｍの透過率が大きくなるよう形成される透過部材を備える。
【０１０４】
本発明の一実施形態に係る透過部材１００は、光を投射して像を結像させる結像光学系の一例としての自由曲面ミラー３０と、自由曲面ミラー３０から投射される光を反射する反射部材の一例としてのフロントガラス５０を備え、フロントガラス５０により反射される反射光により、自由曲面ミラー３０により結像された虚像４５を観察者３に視認させる表示システム１Ａに用いられる透過部材１００であって、フロントガラス５０に入射する光線は、第１の光線Ｌｐと、第１の光線Ｌｐよりもフロントガラス５０への入射角が小さいあ第２の光線Ｌｍを含み、フロントガラス５０より上流側の光路に備えられ、第１の光線Ｌｐの透過率よりも、第２の光線Ｌｍの透過率が大きくなるよう形成される。
【０１０５】
これにより、フロントガラス５０へ入射する光線の入射角が大きいほど反射率が大きくなるよう形成されるフロントガラス５０が用いられた場合でも、第１の光線Ｌｐを観察者が視認する輝度と第２の光線Ｌｍを観察者が視認する輝度の輝度差を低減し、観察者が視認する虚像の輝度のばらつきを抑制することができる。
【０１０６】
なお、本発明の一実施形態に係る光学素子、表示システムおよび移動体について説明してきたが、本発明は、上述した実施形態に限定されるものではなく、当業者が想到することができる範囲内で変更することができる。
【符号の説明】
【０１０７】
１Ａ    表示システム
１０    表示装置
１１    光源装置（光源の一例）
１３    光偏向装置（光偏向部の一例）
１５    スクリーン（光学素子の一例）
３０    自由曲面ミラー（結像光学系の一例）
５０    フロントガラス（反射部材の一例）
１００  透過部材
【先行技術文献】
【特許文献】
【０１０８】
【特許文献１】特許第５３１０８１０号公報
【図１】
2020060619.tif 000009
【図２】
2020060619.tif 000010
【図３】
2020060619.tif 000011
【図４】
2020060619.tif 000012
【図５】
2020060619.tif 000013
【図６】
2020060619.tif 000014
【図７】
2020060619.tif 000015
【図８】
2020060619.tif 000016
【図９】
2020060619.tif 000017
【図１０】
2020060619.tif 000018
【図１１】
2020060619.tif 000019
【図１２】
2020060619.tif 000020
【図１３】
2020060619.tif 000021
【図１４】
2020060619.tif 000022